(57)【要約】      （修正有）【課題】マスクを衛生的に収容することができ、持ち運びしやすい携帯用マスクケースを提供する。【解決手段】携帯用マスクケースは、マスク７を収納することができ、横長長方形状の本体部２と、本体部を二つ折りにした状態で本体部の左右端部を留める留め部材５と、本体部の内側面２ａに、本体部を二つ折りにする折り目付近に架け渡し、本体部との間でマスクを挿し通すことができるベルト部材３と、を備える。【選択図】図３
0003231250.tif 000002
【実用新案登録請求の範囲】
【請求項１】
マスクを収納することができる携帯用マスクケースであって、
横長長方形状の本体部と、該本体部を二つ折りにした状態で該本体部の左右端部を留める留め部材と、該本体部の内側面に、該本体部を二つ折りにする折り目付近に架け渡し、該本体部との間で該マスクを挿し通すことができるベルト部材と、を備えた携帯用マスクケース。
【請求項２】
前記ベルト部材は、表面を凹凸状にした素材からなる請求項１に記載の携帯用マスクケース。
【請求項３】
前記ベルト部材は、綾テープを用いた請求項1又は２に記載の携帯用マスクケース。
【請求項４】
前記本体部の外側面に、前記本体部の横方向略全幅に渡る長さで上向きに開口するポケット部を備えた請求項１〜３のいずれかに記載の携帯用マスクケース。
【請求項５】
前記ベルト部材の上端部に吊り環を備えた請求項１〜４のいずれかに記載の携帯用マスクケース。
【請求項６】
前記本体部の四隅部を面取り状にした請求項１〜５のいずれかに記載の携帯用マスクケース。
【請求項７】
前記留め部材をホックにした請求項１〜６のいずれかに記載の携帯用マスクケース。
【考案の詳細な説明】
【技術分野】
【０００１】
本考案は、ウィルス対策、風邪対策、花粉対策などで着用するマスクを収納することができる携帯用マスクケースに関する。
【背景技術】
【０００２】
冬場では風邪やインフルエンザの予防として、春場では花粉症対策として家庭用マスクを着用して外出する人が見かけられる。最近では、新型コロナウィルス感染症(COVID-19)の対策として、人が密集する場所では、屋外や屋内を問わず家庭用マスクをすることが推奨され、ほぼ一日中マスクを着用することになっている。
【０００３】
マスクを一時的に外す場合に、マスクを手で持ち運ぶと指などにウィルスが付着し、感染しやすくなるおそれがある。また、就寝前にマスクを机上などに放置しておくとマスクに付着したウィルスが付近に付着し、拡散してしまうおそれがある。
【０００４】
そこで、下記特許文献１には、「マスクを見栄えよく、かつ衛生的に収容するためのマスクケースであって、折り畳まれることにより前記マスクの本体部を挟み込む、抗菌性を有する紙製の保護シートと、折り畳まれることにより前記マスクの本体部および前記保護シートを挟み込む、前記保護シートよりも厚手の紙製の内側シートと、折り畳まれることにより前記マスクの本体部および前記保護シートを挟み込んだ前記内側シートを収容する紙製の外側シートと、を備えたことを特徴とするマスクケース」が開示され、このマスクケースは未使用の、または使いかけのマスクを見栄えよく、かつ衛生的に収容することができるものである。
【先行技術文献】
【特許文献】
【０００５】
【特許文献１】実用新案登録第３２２２１０３号公報
【考案の概要】
【考案が解決しようとする課題】
【０００６】
従来からあるマスク用ケースはマスクを衛生的に収容することができるものであるが、一時的にマスクを外して収容し、携帯して持ち運ぶには適するものとはいえなかった。今後、常時、マスクを着用し、必要に応じて一時的にマスクを外す機会は増え、マスクを持ち運ぶことも多くなると考えられる。
【０００７】
そこで、本考案の目的は、マスクを衛生的に収容することができ、持ち運びしやすい携帯用マスクケースを提供することにある。
【課題を解決するための手段】
【０００８】
本考案の一形態の携帯用マスクケースは、マスクを収納することができる携帯用マスクケースであって、横長長方形状の本体部と、本体部を二つ折りにした状態で本体部の左右端部を留める留め部材と、本体部の内側面に、本体部を二つ折りにする折り目付近に架け渡し、本体部との間でマスクを挿し通すことができるベルト部材と、を備えたことを特徴とする。
【０００９】
上記形態の携帯用マスクケースは、マスクをベルト部材と本体部の間に挿し通して本体部の内側面に載せ置き、本体部を二つ折りにして留め部材を留め合わせ、この際にマスクの耳掛け紐を本体部の左右端部から外側に露出するようにすれば、マスクの耳掛け紐を持ち手として持ち運ぶことができ、携帯しやすいものである。
【００１０】
上記形態の携帯用マスクケースは、ベルト部材を、表面を凹凸状にした素材から形成することが好ましく、ベルト部材として、例えば、綾テープを用いるのが好ましい。
このようにすることにより、ベルト部材の凹凸によりマスクがずれにくくなるため、ケース内からはみ出したり、抜け落ちたりしにくくなる。
【００１１】
上記形態の携帯用マスクケースにおいて、本体部の外側面に、本体部の横方向略全幅に渡る長さで上向きに開口するポケット部を備えることができる。
このようにすることにより、ポケット部に予備のマスクを収納し、使用しているマスクが汚損や破損した場合に取り替えることができる。
【００１２】
上記形態の携帯用マスクケースにおいて、ベルト部材の上端部に吊り環を備えることができる。このようにすることにより、本体部の内側にマスクを収納した状態でバッグや背負い鞄に吊り輪部分を掛けて持ち運ぶことができる。
【００１３】
上記形態の携帯用マスクケースにおいて、本体部の四隅部を面取り状にすることができる。
このようにすることにより、二つ折りにした際にマスクの耳掛け紐が本体部に埋もれにくくなり、持ち運ぶのに耳掛け紐を引っ張りださなくてもよくなる。
【００１４】
上記形態の携帯用マスクケースにおいて、留め部材をホックにすることができる。
このようにすることにより、留め外し作業がしやすくなる。
【図面の簡単な説明】
【００１５】
【図１】本考案の一実施形態の携帯用マスクケースを示し、本体部の内側面から視た図である。
【図２】図１の携帯用マスクケースの本体部の外側面から視た図である。
【図３】図１の携帯用マスクケースにおいて、マスクを本体部の内側面に載せた状態を示した図である。
【図４】図１の携帯用マスクケースにマスクを収納して二つ折りにした状態を示した図である。
【図５】図１の携帯用マスクケースのポケット部にマスクを収納する状態を示した図である。
【考案を実施するための形態】
【００１６】
以下、本考案の携帯用マスクケースの一実施形態を図面に基づいて説明する。
【００１７】
本考案の一実施形態の携帯用マスクケース１は、図１又は図２に示すように、本体部２と、ベルト部材３と、吊り環４と、留め部材５と、ポケット部６と、を備え、マスク７を収納し、手に持ち、或いは、鞄やポケットなどに入れて携帯することができる。
マスク７は、ウィルス対策、風邪対策、花粉対策などで着用するいわゆる家庭用マスクであり、綿製、不織布製などがあり、平面型だけでなく立体型も含むものである。
【００１８】
本体部２は、図１又は図２に示すように、左右対称の横長長方形状を呈する布地からなり、本体部２の中間付近を折り目２１として、左右端部を重ね合わせて、図４に示すように、二つ折りにすることができるようにしてある。また、本体部２は、特に限定するものではないが、綿や麻などの天然繊維、ポリエステルやナイロンなどの化学繊維等の素材から形成することができる。本体部２の内側面２ａは、抗菌性の素材から形成するのが好ましい。
本体部２は、マスク７を載せて包み隠せるようにマスク７よりも一回り大きい大きさにするのが好ましく、具体的には長さ２０ｃｍ〜３０ｃｍ程度、高さ８ｃｍ〜１５ｃｍ程度にすることができる。
本体部２の各隅部は、面取り状に形成してあり、高さに対して１／４〜１／３の幅で面取り状に形成してある。
【００１９】
ベルト部材３は、図１に示すように、細長帯状とし、折り目２１から若干の間隔を空けて上下方向に架け渡すように上下端部のみを本体部２に止着して取り付けてある。図３に示すように、本体部２とベルト部材３との間にマスク７を挿し通せるようにし、収納したマスク７がずれ落ちないようにしてある。
ベルト部材３としては、表面が凹凸状の素材を用いることが好ましい。凹凸状とは、表面に微小の突起を多数設けたものや微小の溝が多数刻まれたものを含む。
より具体的には綾テープを用いることができる。綾テープとは、綿やアクリルなどからなる帯状の素材であり、表面に平面視Ｖ字状の微小溝が多数刻まれた素材である。
ベルト部材３の上端部には、図１に示すように、吊り環４が設けてある。
吊り環４は、バッグや背負い鞄などに掛けられる環状のものであり、本実施形態ではいわゆるＤ環を用いている。吊り環４は、ベルト部材３の上端部をループ状にして巻き付けて本体部２に取り付けてある。なお、本考案は吊り環４を設けない構成としてもよい。
【００２０】
本体部２の内側面２ａには、図１に示すように、留め部材５が設けてある。留め部材５は、留め合うことにより本体部２を二つ折りにした状態を維持することができるものであり、例えば、ホック（スナップボタン）や面ファスナーなど着脱可能な部材を用いて形成することができる。
留め部材５は、本体部２の左右端部から若干内側に位置し、本体部２の高さのほぼ中間位置に設けてある。
【００２１】
本体部２の外側面２ｂには、図２に示すように、ポケット部６が設けてある。
ポケット部６は、本体部２の外側面２ｂを二重にして設け、本体部２の上縁部から若干下方の位置に開口部を設けてある。この開口部は本体部２の横方向略全幅に渡る長さで上向きに開口するようにしてあり、ポケット部６には、図５に示すように、予備のマスク７が収納できるようにしてある。
【００２２】
携帯用マスクケース１を使用するには、例えば、本体部２を広げた状態でベルト部材３の中間付近を摘み上げ、マスク７を挿し通し、図３に示すように、本体部２の内側面２ａにマスク７を載せる。この際、マスク７の外面が内側面２ａに接するように載せるのが好ましい。
そして、マスク７の耳掛け紐７１の輪内に留め部材５が位置するようにし、マスク７とともに本体部２を折り目２１で折り曲げ、本体部２を二つ折りにして留め部材５を留め合わせる。
【００２３】
図４に示すように、本体部２の外側に露出した耳掛け紐７１を指先で摘み持つことにより、持ち運ぶことができる。本体部２の各隅部を面取り状にすることにより、本体部２を二つ折りにした際にマスク７の耳掛け紐７１が本体部２に埋もれにくく、外側に露出して見つけ出しやすくなる。
また、図４に示す状態で、吊り環４をバッグや背負い鞄などに掛けて持ち運ぶこともできる。
【００２４】
本体部２の内側面２ａに収納したマスク７を使用するには、留め部材６を外して本体部２を広げ、マスク７をベルト部材３から抜くように移動させて取り出すことができる。
【００２５】
予備のマスク７をポケット部６に収納しておけば、内側面２ａに収納したマスク７が破損や汚損した場合に取り替えて使用することができる。
【００２６】
上記実施形態の構成態様は、本考案を限定するものとして挙げたものではなく、技術目的を共通にするかぎり変更は可能であり、本考案はそのような変更を含むものである。
【符号の説明】
【００２７】
１携帯用マスクケース
２本体部
２ａ内側面
２ｂ外側面
２１折り目
３ベルト部材
４吊り環
５留め部材
６ポケット部
７マスク
７１耳掛け紐
【図１】
0003231250.tif 000003
【図２】
0003231250.tif 000004
【図３】
0003231250.tif 000005
【図４】
0003231250.tif 000006
【図５】
0003231250.tif 000007